(57)【要約】【課題】  従来のキーボードでは文字キー以外のキーは限られた数しか利用できず、フリックやスライド操作では文字、文字列や絵文字を含む記号しか選択できなかった。【解決手段】  キーボード内のキー周辺に潜在的に文字キー以外のキーが選択可能なように設定し、該設定された潜在的文字キー以外のキーをフリックやスライド操作で選択し、該選択された機能を実施するのと、アイコンをキーに表示したり、該キー周辺に潜在的にアイコンや文字キー以外のキーが選択可能なように設定し、該設定された潜在的アイコンや文字キー以外のキーをフリックやスライド操作で選択し、該選択されたアイコンにより該アイコンが示唆するアプリ画面に自動的に変更されたり、文字キー以外のキーの機能が実施される事を特徴とした液晶キーボートで文字キー以外のキーやアイコンをフリックで選択する方法。【選択図】  図１
2019067161.tif 000002
【特許請求の範囲】
【請求項１】
液晶画面における文字入力において、
キーボード内のキー周辺に潜在的に文章として構成する文字、文字列や絵文字を含む記号を「文字等」とし、文字の入力を目的とするキーボードにおいて、直に文字等を入力するキーを「文字等キー」とし、該文字等キー以外の操作するキーや移動させるキーやショートカットキーやファンクションキー等のキーを「機能キー」とし、該機能キーを設定し、該設定された機能キーが何処の位置に潜在的に設定されたかを目視できるよう表示して案内する図のフリックガイド等を「フリック図」とし、
キーボード内のキー周辺に潜在的に機能キーを設定し、該設定された機能キーが何処の位置に潜在的に設定されたかを目視できるフリック図を参考にすることを踏まえ、フリックやスライド操作で機能キーを選択し、該選択された機能キーの機能が実施されるが、
キーボード内のキーにアプリケーションプログラムを「アプリ」とし、該アプリやファイルの種類をシンボル化した小さな絵記号を「アイコン」とし、
該アイコンを表示し、該表示されたアイコンを選択する事でアプリやファイル等が起動し表示されるキーを「アイコンキー」とし、
該アイコンキーを設置し、該設置したアイコンキーの選択により、該選択したアイコンキーのアイコンが示唆するアプリやファイルが起動し表示されるが、
キーボード内のキーに設置されたアイコンキー周辺に潜在的に機能キーやアイコンキーを設定し、該設定された機能キーやアイコンキーが何処の位置に潜在的に設定されたかを目視できるフリック図を参考にすることを踏まえ、フリックやスライド操作で機能キーやアイコンキーを選択し、該選択された機能キーやアイコンキーの役割が実施されるよう設定する
事を特徴とする液晶キーボートで文字キー以外のキーやアイコンをフリックで選択する方法。
【発明の詳細な説明】
【技術分野】
【０００１】
本発明は、液晶画面における文字入力においてキーボードに表示されたキーを基点にタップやフリックやスライド操作により文字キー以外のキーやアイコンを選択し実施させる事に関するものである。
【背景技術】
【０００２】
文章として構成する文字、文字列や絵文字を含む記号を「文字等」とし、文字の入力を目的とするキーボードにおいて、直に文字等を入力するキーを「文字等キー」とし、該文字等キー以外の操作するキーや移動させるキーやショートカットキーやファンクションキー等のキーを「機能キー」とし、液晶画面における文字入力において、キーボード内のキー周辺に潜在的に文字等を設定し、該設定された文字等が何処の位置に潜在的に設定されたかを目視できるよう表示して案内する図のフリックガイド等を「フリック図」とし、該フリック図を参考にすることを踏まえ、フリックやスライド操作で選択し、該選択した文字等を入力していた。
【０００３】
液晶画面における文字入力においてローマ字入力を実施するキーボートで、子音英字を表示する文字等キー周辺に潜在的に母音英字の「ｉ」、「u」、「e」、「ｏ」の文字等を設定し、該設定した文字等をフリック操作で選択可能にし、フリックで最初に接した文字等キーの子音英字とフリックで選択した母音英字をカーソルに入力し、カナ変換処理によりカナが入力できることから、カナ文字が一回のフリック操作で入力ができ、従来のローマ字入力を併用しながらフリック操作により文字等の母音英字を入力するローマ字入力の方法があった（特許文献１参照）。
【先行技術文献】
【特許文献】
【０００４】
【特許文献１】特願２０１５−２３７０３３号広報
【発明の概要】
【発明が解決しようとする課題】
【０００５】
アプリケーションプログラムを「アプリ」とし、該アプリやファイルの種類をシンボル化した小さな絵記号を「アイコン」とし、該アイコンを表示し、該表示されたアイコンを選択する事でアプリやファイル等が起動し表示されるキーを「アイコンキー」とし、液晶画面によるキーボードではアイコンキーを選択して直接アプリを呼び出したり、パソコンのハードキーボード内のファンクションキーによるショートカットキーが無く、フリックやスライド操作で選択できるよう潜在的に設定されているのは文字等だけだった。
【課題を解決するための手段】
【０００６】
液晶画面における文字入力において、キーボード内のキー周辺に潜在的に機能キーを設定し、該設定された機能キーが何処の位置に潜在的に設定されたかを目視できるフリック図を参考にすることを踏まえ、フリックやスライド操作で機能キーを選択し、該選択された機能キーの機能が実施されるが、キーボード内のキーとしてアイコンキーを設置し、該設置したアイコンキーの選択により、該選択したアイコンキーのアイコンが示唆するアプリやファイルが起動し表示されるが、キーボード内のキーに設置されたアイコンキー周辺に潜在的に機能キーやアイコンキーを設定し、該設定された機能キーやアイコンキーが何処の位置に潜在的に設定されたかを目視できるフリック図を参考にすることを踏まえ、フリックやスライド操作で機能キーやアイコンキーを選択し、該選択された機能キーやアイコンキーの役割が実施されるよう設定する。
以上を特徴とする液晶キーボートで文字キー以外のキーやアイコンをフリックで選択する方法である。
【発明の効果】
【０００７】
液晶画面表示のキーボードを操作中、希望する他のアプリを起動するのに、操作中のキーボード画面を終了し、ホーム画面に戻って、希望するアイコンを捜し、タップしていたが、本発明により操作中のキーボード内に設定されたアイコンキーをタップ又はフリックやスライド操作で選択するだけで希望するアプリ画面に自動的な変更が可能で、従来のキーボード内の限られたキー数でも、フリック図が表示される潜在的キーを設定する事で、フリックやスライド操作で多くの機能キーやアイコンキーを選択できる事でキーボードの操作性が飛躍的に向上する。
【図面の簡単な説明】
【０００８】
【図１】液晶画面におけるＱＷＥＲＴＹ配列のキーボード内で選択した「Ｇ」表示のキー周辺に、各方向に表示された矢印の機能キーが本発明によるフリック図内に表示され、該表示されたフリック図と各方向に表示された矢印の機能キーと選択されたキーを抜粋して表示した縦方向に表示するキーボード全体と部分抜粋図
【図２】液晶画面におけるローマ字入力のキーボード内で選択した「句点」表示のキー周辺に、プレイヤーでの各操作や消音を実行する機能キーが本発明によるフリック図内に表示され、該表示されたフリック図とプレイヤーでの各操作や消音を実行する機能キーと選択されたキーを抜粋して表示した縦方向に表示するキーボード全体と部分抜粋図
【図３】液晶画面における日本語入力によるテンキーのキーボード内で選択した「な」表示のキー周辺に、フリック図で選択可能なカナ文字とアイコンが本発明によるフリック図内に表示され、該表示されたフリック図とアイコンと選択されたキーを抜粋して表示した縦方向に表示するキーボード全体と部分抜粋図
【図４】液晶画面における韓国語を入力する三回式の一回目選択キーボード内で選択した「韓国通貨のウォン」表示のキー周辺に、機能キーである各ファンクションキーが本発明によるフリック図内に表示され、該各ファンクションキーが表示されたフリック図と選択されたキーを抜粋して表示した横方向に表示するキーボード全体と部分抜粋図
【図５】日本語入力による従来のテンキーに濁音、半濁音の「あ」段の文字等キーを新設し、該新設を含むキーボード内で、その他で増設された２個のキーに本発明によりアイコンが表示されたアイコンキーが設定されている縦方向に表示するキーボード全体図
【図６】液晶画面におけるＱＷＥＲＴＹ配列のキーボートの英字による文字等をローマ字入力のキーボードと同じ配置にし、該配置により設定された「長音記号」キーを本発明によるアイコンが表示されたアイコンキーに変更し、該変更されたアイコンキー周辺に、プレイヤーでの各操作や消音を実行する機能キーが本発明によるフリック図内に表示され、該表示されたフリック図とプレイヤーでの各操作や消音を実行する機能キーと選択されたアイコンキーを抜粋して表示した縦方向に表示するキーボード全体と部分抜粋図
【発明を実施するための形態】
【実施例１】
【０００９】
図１の左側は液晶画面に表示されたＱＷＥＲＴＹ配列のキーボード（１Ａ）部で「Ｇ」表示のキー（２Ａ）にフリック図（３Ａ）が表示された状態で、該表示されたフリック図（３Ａ）内の「Ｇ」キー（２Ａ）上方向に上方向を示す矢印の「↑」を示す機能キー（４Ａ）が表示され、「Ｇ」キー（２Ａ）左方向に左方向を示す矢印の「←」を示す機能キー（４Ｂ）が表示され、「Ｇ」キー（２Ａ）右方向に右方向を示す矢印の「→」を示す機能キー（４Ｃ）が表示され、「Ｇ」キー（２Ａ）下方向に下方向を示す矢印の「↓」を示す機能キー（４Ｄ）が表示されていて、図１の右側に「Ｇ」キー（２Ａ）やフリック図（３Ａ）と各機能キー（４）を抜粋した状態で表示されていて、各機能キー（４）を任意の長さで接触した状態で選択を維持することで表示されているカーソルを選択された機能キーの方向へ任意の長さで接触した分の距離を移動する事が出来る。
【実施例２】
【００１０】
図２の左側は液晶画面の縦方向に表示された日本語入力のローマ字によるキーボード（１Ｂ）部で「句点」表示のキー（２Ｂ）にフリック図（３Ｂ）が表示された状態で、該表示されたフリック図（３Ｂ）内の「句点」キー（２Ｂ）上方向の左側にスピーカーの「消音を示唆する」の機能キー（４Ｅ）が表示されているのと、中央にプレイヤーの「プレイを示唆する」の機能キー（４Ｆ）が表示されているのと、右側にプレイヤーの「一時停止を示唆する」の機能キー（４Ｇ）が表示され、「句点」キー（２Ｂ）の左側にプレイヤーの「早戻しを示唆する」の機能キー（４Ｈ）が表示され、「句点」キー（２Ｂ）の右側にプレイヤーの「早送りを示唆する」の機能キー（４Ｊ）が表示されていて、図２の右側に「句点」キー（２Ｂ）やフリック図（３Ｂ）と各機能キー（４）を抜粋した状態で表示されていて、フリック操作で各機能キー（４）を選択することで機能キー（４）に表示されている各機能をプレイヤーのアプリが起動した画面に移行することなく実施する事が出来る。
【実施例３】
【００１１】
図３の左側は液晶画面の縦方向に表示された日本語入力のテンキーによるキーボード（１Ｃ）部で「な」表示のキー（２Ｃ）にフリック図（３Ｃ）が表示された状態で、該表示されたフリック図（３Ｃ）内の「な」キー（２Ｃ）を基準に上方向に「ぬ」を示す文字が表示され、左方向に「に」を示す文字とさらに左側に「メッセージ」のアイコン（５Ａ）が表示され、右方向に「ね」を示す文字とさらに右側に「電話」のアイコン（５Ｂ）が表示され、下方向に「の」を示す文字が表示されていて、図３の右側に「な」キー（２Ｃ）やフリック図（３Ｃ）と各機能キー（４）を抜粋した状態で表示されていて、「あ」段のキーのタップからフリックで「い」、「う」、「え」、「お」段の文字を選択する通常のフリックでの文字選択方法とは別に、「メッセージ」のアイコン（５Ａ）や「電話」のアイコン（５Ｂ）を更にスライドして選択することで、本キーボード（１Ｃ）の表示画面を終了し、選択されたアイコン（５）を捜しタップすることなく自動的にアイコン（５）を示唆するアプリが起動して画面が自動で切り替わる設定である。
【実施例４】
【００１２】
図４の下側は液晶画面の横方向に表示された韓国語を入力する三回式の一回目選択キーボード（１Ｄ）部で「韓国通貨のウォン」表示のキー（２Ｄ）にフリック図（３Ｄ）が表示された状態で、該表示されたフリック図（３Ｄ）内の「韓国通貨のウォン」キー（２Ｄ）の左側を基点として時計回りで、パソコンのハードキーボードに設定されている「Ｆ３」から「Ｆ１０」までの各「ファンクションキー」が図で示すように機能キー（４）として表示されていて、図４の上側に選択したキー（２Ｄ）ファンクションキーを含むとフリック図（３Ｄ）が確認しやすいように抜粋して表示してあり、各「ファンクションキー」の機能キー（４）をフリックで選択することで「ファンクションキー」に設定されている各機能が実施される設定になっている。
【実施例５】
【００１３】
図５は液晶画面の縦方向に表示された日本語入力のテンキーによるキーボードに濁音、半濁音の「あ」段の文字キーを新設したキーボード（１Ｅ）部で、キーの増設に伴いキーボード（１Ｅ）内にキー２個分の空白ができた事から、キーボード（１Ｅ）上左端の空白に本発明による「メッセージ」のアイコン（５Ａ）を表示したアイコンキー（６Ａ）と、キーボード（１Ｅ）中段左から２個目の空白に本発明による「電話」のアイコン（５Ｂ）を表示したアイコンキー（６Ｂ）を設定し、各アイコンキー（６）をタップして選択することで、本キーボード（１Ｅ）の表示画面を終了し、選択されたアイコン（５）を捜しタップすることなく自動的にアイコン（５）が示唆するアプリが起動して画面が自動で切り替わる設定である。
【実施例６】
【００１４】
図６の左側は液晶画面の縦方向に表示されたＱＷＥＲＴＹ配列のキーボートの英字をローマ字入力のキーボードと同じ配置にして「長音記号」が表示されていたキーを本発明により「電話」のアイコンキー（５Ｂ）に表示が変更されたアイコンキー（６Ｃ）として設定し、該設定されたアイコンキー（６Ｃ）周辺に本発明による機能キーが表示されているフリック図が表示され、図６の右側にアイコン（５Ｂ）を表示したアイコンキー（６Ｃ）やフリック図（３Ｅ）と各機能キー（４）を抜粋した状態で表示されていて、アイコンキー（６Ｃ）上方向の左側にプレイヤーの「プレイを示唆する」の機能キー（４Ｆ）が表示されているのと、右側にプレイヤーの「一時停止を示唆する」の機能キー（４Ｇ）が表示され、左側にプレイヤーのスピーカーの「消音を示唆する」の機能キー（４Ｅ）が表示され、下方向の左側にプレイヤーの「早戻しを示唆する」の機能キー（４Ｈ）が表示されているのと、右側にプレイヤーの「早送りを示唆する」の機能キー（４Ｊ）が表示されていて、フリック操作で各機能キー（４）を選択することで機能キー（４）に表示されている各機能をプレイヤーのアプリが起動した画面に移行することなく実施する事が出来る。
【符号の説明】
【００１５】
１Ａ、１Ｂ、１Ｃ、１Ｄ、１Ｅ、１Ｆ                                  キーボード
２Ａ、２Ｂ、２Ｃ、２Ｄ、２Ｅ、２Ｆ、２Ｇ                            キー
３Ａ、３Ｂ、３Ｃ、３Ｄ、３Ｅ                                        フリック図
４、４Ａ、４Ｂ、４Ｃ、４Ｄ、４Ｅ、４Ｆ、４Ｇ、４Ｈ、４Ｊ、４Ｋ、４Ｍ機能キー
５、５Ａ、５Ｂ、                                                    アイコン
６、６Ａ、６Ｂ、６Ｃ                                                アイコンキー
【図１】
2019067161.tif 000003
【図２】
2019067161.tif 000004
【図３】
2019067161.tif 000005
【図４】
2019067161.tif 000006
【図５】
2019067161.tif 000007
【図６】
2019067161.tif 000008